(57)【要約】【課題】上水の使用量を削減することを可能としながらも、コストの高騰と便器の衛生環境の悪化を抑制することができる洗浄水給水システムを提供する。【解決手段】洗浄水給水システム１は洋風便器３に連結された給水管１４，１５と上水給水部１６と浴槽内水給水部１７とを備えている。上水給水部１６は上水管２０と開閉弁２１，２２とバキュームブレーカ２３，２４を備えている。開閉弁２１，２２及びバキュームブレーカ２３，２４は上水管２０と給水管１４，１５との間に設けられ、バキュームブレーカ２３，２４は開閉弁２１，２２よりも洋風便器３側に設けられている。浴槽内水給水部１７は給水管１４，１５に連結しかつ浴槽２内の水を給水管１４，１５等を介して洋風便器３に給水する。浴槽内水給水部１７が上水給水部１６の開閉弁２１，２２及びバキュームブレーカ２３，２４よりも給水管１４，１５の洋風便器３側に連結している。【選択図】図１
2013104206.tif 000002
【特許請求の範囲】
【請求項１】
便器に洗浄水を給水する洗浄水給水システムであって、
前記便器に連結されかつ前記洗浄水を前記便器に給水する給水管と、
前記給水管に連結しかつ前記洗浄水としての上水を前記給水管を介して前記便器に給水する上水給水部と、
前記給水管に連結しかつ前記洗浄水としての浴槽内の水を前記給水管を介して前記便器に給水する浴槽内水給水部と、を備え、
前記浴槽内水給水部が、前記上水給水部よりも前記給水管の前記便器側に連結していることを特徴とする、
洗浄水給水システム。
【請求項２】
前記上水給水部は、
前記上水が給水される上水管と、前記上水管と前記給水管との間に設けられかつ前記上水管から前記給水管に亘る流路を開閉する開閉弁とを備え、
前記浴槽内水給水部が、前記開閉弁よりも前記給水管の前記便器側に連結していることを特徴とする、
請求項１記載の洗浄水給水システム。
【請求項３】
前記上水給水部は、
前記上水管と前記給水管との間でかつ前記開閉弁よりも前記便器側に設けられた開放弁を備え、
前記浴槽内水給水部が、前記開放弁よりも前記給水管の前記便器側に連結していることを特徴とする、
請求項２記載の洗浄水給水システム。
【請求項４】
前記上水給水部は、
前記上水を溜めるとともに底部の排水口に前記給水管が連結した洗浄タンクと、
前記排水口を開閉自在な弁体と、
前記洗浄タンクに変位自在に取り付けられかつ前記洗浄タンクに対して変位されると前記弁体に前記排水口を開閉させる操作部材と、を備え、
前記浴槽内水給水部が、前記排水口よりも前記給水管の前記便器側に連結していることを特徴とする、
請求項１記載の洗浄水給水システム。
【発明の詳細な説明】
【技術分野】
【０００１】
本発明は、便器に洗浄水を給水する洗浄水給水システムに関する。
【背景技術】
【０００２】
従来から便器に洗浄水を給水する洗浄水給水システムとして、浴槽内の入浴後の残り湯や雨水を給水する洗浄水給水システム（例えば、特許文献１及び特許文献２参照）が用いられている。これらの特許文献１及び特許文献２に示された洗浄水給水システムは、浴槽内の残り湯や雨水を一旦貯水する貯水槽と、前記貯水槽と前記便器とを連結した配管と、前記配管等に設けられかつ前記貯水槽内の水を前記便器に送り出すポンプを備えている。
【０００３】
洗浄水給水システムは、前記貯水槽内の残り湯や雨水などをポンプが便器に送り出すことで、便器に洗浄水としての残り湯や雨水などを給水する。
【先行技術文献】
【特許文献】
【０００４】
【特許文献１】実開昭６１−１５５４７５号公報
【特許文献２】特開２０００−１０４３０２号公報
【発明の概要】
【発明が解決しようとする課題】
【０００５】
ところで、特許文献１及び特許文献２に記載されている洗浄水給水システムは、洗浄水として、入浴後の残り湯や雨水を用いて、上水（じょうすい）の使用量を削減することを可能としている。しかしながら、これら従来の洗浄水給水システムは、洗浄水としての入浴後の残り湯や雨水を一旦貯水槽内に溜める。このために、洗浄水として用いられる残り湯や雨水が、長期に亘って貯水槽内に溜められることとなって、貯水槽内で雑菌などを繁殖させてしまう虞があった。このために、特に、特許文献２に示された洗浄水給水システムでは、貯水槽内での雑菌などの繁殖を抑制するために、貯水槽内を上水により定期的に洗浄している。
【０００６】
一方、特許文献２に記載されている洗浄水給水システムにおいて、貯水槽内を上水により定期的に洗浄しないと、洗浄水内に雑菌などが繁殖して、便器の衛生環境を悪化させてしまう。
【０００７】
本発明は、上記の事情に鑑みてなされたものであって、上水の使用量を削減することを可能としながらも、便器の衛生環境の悪化を抑制することができる洗浄水給水システムを提供することを目的とする。
【課題を解決するための手段】
【０００８】
上記目的を達成するために、本発明に係る洗浄水給水システムは、便器に洗浄水を給水する洗浄水給水システムであって、前記便器に連結されかつ前記洗浄水を前記便器に給水する給水管と、前記給水管に連結しかつ前記洗浄水としての上水を前記給水管を介して前記便器に給水する上水給水部と、前記給水管に連結しかつ前記洗浄水としての浴槽内の水を前記給水管を介して前記便器に給水する浴槽内水給水部と、を備え、前記浴槽内水給水部が、前記上水給水部よりも前記給水管の前記便器側に連結していることを特徴とする。
【０００９】
前記洗浄水給水システムでは、浴槽内の水を便器に給水する浴槽内水給水部を備えているので、浴槽内の入浴後の残り湯などを便器の洗浄水として用いることができる。また、前記洗浄水給水システムでは、浴槽内水給水部と上水を便器に給水する上水給水部とを備えているので、浴槽内に残り湯などが溜まっている場合には、洗浄水として浴槽内の水を用いることができ、浴槽内に残り湯などが溜まっていない場合には、洗浄水として上水を用いることができる。さらに、浴槽内水給水部が上水給水部よりも給水管の便器側に連結しているので、浴槽内水給水部が、洗浄水としての浴槽内の水を直接便器に洗浄水として給水することができる。したがって、洗浄水として用いる残り湯などの浴槽内の水を長期に亘って溜めておくことを抑制することができて、雑菌が繁殖することを抑制することができる。したがって、貯水槽内の洗浄を行うことなく、上水の使用量を削減することを可能としながらも、コストの高騰と便器の衛生環境の悪化を抑制することができる。
【００１０】
前記洗浄水給水システムでは、前記上水給水部は、前記上水が給水される上水管と、前記上水管と前記給水管との間に設けられかつ前記上水管から前記給水管に亘る流路を開閉する開閉弁とを備え、前記浴槽内水給水部が、前記開閉弁よりも前記給水管の前記便器側に連結していることが好ましい。この洗浄水給水システムでは、上水給水部の上水管と給水管とに亘る流路を開閉可能な開閉弁よりも給水管の便器側に浴槽内水給水部が連結しているので、開閉弁により、上水給水部の上水管と浴槽内水給水部とを確実に分離することができる。
【００１１】
前記洗浄水給水システムでは、前記上水給水部は、前記上水管と前記給水管との間でかつ前記開閉弁よりも前記便器寄りに設けられた開放弁を備え、前記浴槽内水給水部が、前記開放弁よりも前記給水管の前記便器側に連結していることが好ましい。この洗浄水給水システムでは、開閉弁の便器側に設けられた開放弁よりも更に給水管の便器側に浴槽内水給水部が連結しているので、開放弁により、上水給水部の上水管などが負圧となっても、開放弁を超えて、浴槽内の水が上水管などに逆流することを防止できる。
【００１２】
前記洗浄水給水システムでは、前記上水給水部は、前記上水を溜めるとともに底部の排水口に前記給水管が連結した洗浄タンクと、前記排水口を開閉自在な弁体と、前記洗浄タンクに変位自在に取り付けられかつ前記洗浄タンクに対して変位されると前記弁体に前記排水口を開閉させる操作部材と、を備え、前記浴槽内水給水部が、前記排水口よりも前記給水管の前記便器側に連結していることが好ましい。この洗浄水給水システムでは、上水給水部の洗浄タンクの排水口よりも給水管の便器側に浴槽内水給水部が連結しているので、排水口を開閉する弁体により、上水給水部の上水管と浴槽内水給水部とを確実に分離することができる。
【発明の効果】
【００１３】
本発明に係る吐水装置は、浴槽内水給水部が洗浄水としての浴槽内の水を直接便器に洗浄水として給水することができるので、上水の使用量を削減することを可能としながらも、コストの高騰と便器の衛生環境の悪化を抑制することができる。
【図面の簡単な説明】
【００１４】
【図１】図１は、実施形態１に係る洗浄水給水システムの構成を示す説明図である。
【図２】図２は、実施形態１に係る洗浄水給水システムの制御装置の処理の一例を示すフローチャートである。
【図３】図３は、実施形態１に係る洗浄水給水システムの動作の一例を示すタイムチャートである。
【図４】図４は、実施形態２に係る洗浄水給水システムの構成を示す説明図である。
【図５】図５は、実施形態２に係る洗浄水給水システムの動作の一例を示すタイムチャートである。
【発明を実施するための形態】
【００１５】
以下に、本発明に係る吐水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
［実施形態１］
【００１６】
図１は、実施形態１に係る洗浄水給水システムの構成を示す説明図、図２は、実施形態１に係る洗浄水給水システムの制御装置の処理の一例を示すフローチャート、図３は、実施形態１に係る洗浄水給水システムの動作の一例を示すタイムチャートである。
【００１７】
図１、図２などに示す実施形態の洗浄水給水システム１は、典型的には、住宅などに設置される浴槽２内の残り湯などの水を、水洗式の便器としての洋風便器３に洗浄水として給水して、洋風便器３内から汚物を排出するシステムである。
【００１８】
洋風便器３は、陶磁器で構成され、かつ、図１に示すように、便鉢４と、リム５と、便鉢４と排水口６とを連通したトラップ部７とを一体に備えている。リム５は、便鉢４の上縁の内面に設けられている。
【００１９】
トラップ部７は、一端が便鉢４の底部の上方に開口しかつ他端が排水口６に連通した通路である。トラップ部７は、便鉢４の底部の上方に開口しかつ一端から他端に向かうにしたがって徐々に上方に向かう上昇域部７ａと、上昇域部７ａから下方に向かい排水口６に連通した下降域部７ｂとを一体に備えて、洋風便器３を所謂サイホン洗い落とし形式の便器としている。また、トラップ部７の一端と相対する便鉢４の底面には、トラップ部７の上昇域部７ａに向けて洗浄水を流出させるジェット孔８が設けられている。
【００２０】
浴槽２は、図１に示すように、ジェットバスユニット９が設けられている。ジェットバスユニット９は、浴槽２の下端部に開口した吸込口１０と、浴槽２の上端部に開口した噴出口１１と、吸込口１０と噴出口１１とを連結した連結配管１２と、連結配管１２に設けられたポンプ１３とを備えている。ポンプ１３は、吸込口１０から吸い込んだ浴槽２内の水を噴出口１１から噴出する。ポンプ１３は、図示しないジェットバスユニット９用の操作装置や後述する制御装置１９により、オンオフが切り替えられる。
【００２１】
洗浄水給水システム１は、図１に示すように、給水管としてのジェット用給水管１４と、給水管としてのリム用給水管１５と、上水給水部１６と、浴槽内水給水部１７と、スイッチ装置１８と、制御装置１９とを備えている。
【００２２】
ジェット用給水管１４は、一端が洋風便器３のジェット孔８に連結されて、洋風便器３に連結されている。ジェット用給水管１４は、上水給水部１６及び浴槽内水給水部１７から給水される洗浄水をジェット孔８に導いて、洋風便器３に給水する。リム用給水管１５は、一端が洋風便器３のリム５に連結されて、洋風便器３に連結されている。リム用給水管１５は、上水給水部１６及び浴槽内水給水部１７から給水される洗浄水をリム５の内面に導いて、洋風便器３に給水する。
【００２３】
上水給水部１６は、上水管２０と、開閉弁としてのリム用開閉弁２１と、開閉弁としてのジェット用開閉弁２２と、開放弁としてのリム用バキュームブレーカ２３と、開放弁としてのジェット用バキュームブレーカ２４と、リム側連結配管２５と、ジェット側連結配管２６と、を備えている。
【００２４】
上水管２０は、上水道からの上水が給水される。上水管２０は、途中で二つに分岐して、一方の先端がリム用開閉弁２１に連結しかつ他方の先端がジェット用開閉弁２２に連結している。こうして、上水管２０は、上水道からの上水を、洗浄水として、開閉弁２１，２２、連結配管２５，２６、バキュームブレーカ２３，２４及び給水管１４，１５を介して、洋風便器３に給水する。
【００２５】
リム用開閉弁２１は、上水管２０と、リム側連結配管２５の一端とが連結されて、上水管２０とリム用給水管１５との間に設けられている。リム用開閉弁２１は、上水管２０からリム側連結配管２５を介してリム用給水管１５に亘る上水の流路を開閉する。
【００２６】
ジェット用開閉弁２２は、上水管２０と、ジェット側連結配管２６の一端とが連結されて、上水管２０とジェット用給水管１４との間に設けられている。ジェット用開閉弁２２は、上水管２０からジェット側連結配管２６を介してジェット用給水管１４に亘る上水の流路を開閉する。
【００２７】
リム用バキュームブレーカ２３は、リム側連結配管２５の他端と、リム用給水管１５の他端とが連結されている。こうして、リム用バキュームブレーカ２３は、上水管２０とリム用給水管１５との間でかつリム用開閉弁２１よりも洋風便器３側に設けられている。リム用バキュームブレーカ２３は、リム側連結配管２５内の上水の圧力がリム用給水管１５内の水の圧力よりも低下しても即ちリム側連結配管２５や上水管２０側が負圧となっても、リム用給水管１５内の水がリム側連結配管２５や上水管２０側に逆流することを防止する。
【００２８】
ジェット用バキュームブレーカ２４は、ジェット側連結配管２６の他端と、ジェット用給水管１４の他端とが連結されている。こうして、ジェット用バキュームブレーカ２４は、上水管２０とジェット用給水管１４との間でかつジェット用開閉弁２２よりも洋風便器３側に設けられている。ジェット用バキュームブレーカ２４は、ジェット側連結配管２６内の上水の圧力がジェット用給水管１４内の水の圧力よりも低下しても即ちジェット側連結配管２６や上水管２０側が負圧となっても、ジェット用給水管１４内の水がジェット側連結配管２６や上水管２０側に逆流することを防止する。
【００２９】
リム側連結配管２５は、一端がリム用開閉弁２１に連結し他端がリム用バキュームブレーカ２３に連結されている。ジェット側連結配管２６は、一端がジェット用開閉弁２２に連結し他端がジェット用バキュームブレーカ２４に連結されている。
【００３０】
上水給水部１６は、リム用開閉弁２１が開きジェット用開閉弁２２が閉じると、上水管２０からの上水をリム側連結配管２５、リム用バキュームブレーカ２３及びリム用給水管１５を介して、洋風便器３のリム５の内面から洋風便器３の周方向に給水する。上水給水部１６は、洋風便器３の便鉢４の内面において、上水を周方向に流して、上水により洋風便器３の便鉢４の内面を洗浄する。
【００３１】
また、上水給水部１６は、ジェット用開閉弁２２が開きリム用開閉弁２１が閉じると、上水管２０からの上水をジェット側連結配管２６、ジェット用バキュームブレーカ２４及びジェット用給水管１４を介して、洋風便器３のジェット孔８からトラップ部７に向けて上水を噴出させる。上水給水部１６は、トラップ部７に強制的にサイホン作用を生じさせて、上水により洋風便器３の便鉢４内の汚物を排水口６から排出する。
【００３２】
こうして、上水給水部１６は、給水管１４，１５に連結して、洗浄水としての上水を給水管１４，１５等を介して洋風便器３に給水する。このように、本実施形態の洋風便器３は、上水道からの上水を一旦タンクなどに溜めることのない、所謂、タンクレス洋風便器となっている。
【００３３】
浴槽内水給水部１７は、前述したジェットバスユニット９のポンプ１３と、第１切替弁２７と、配管２８と、流量検出手段としての流量計２９と、第２切替弁３０と、リム側給水配管３１と、ジェット側給水配管３２とを備えている。
【００３４】
第１切替弁２７は、ジェットバスユニット９の連結配管１２に設けられ、かつポンプ１３よりも噴出口１１寄りに設けられている。また、第１切替弁２７には、配管２８の一端が連結している。第１切替弁２７は、連結配管１２と配管２８とを連通する状態と、連結配管１２と噴出口１１とを連通する状態とが切り替え自在となっている。こうして、第１切替弁２７は、吸込口１０からポンプ１３により吸い込んだ浴槽２内の水を、配管２８、第２切替弁３０、給水配管３１，３２を介して、給水管１４，１５即ち洋風便器３に給水する状態と、噴出口１１から浴槽２内に噴出する状態とが切り替え自在となっている。即ち、第１切替弁２７は、浴槽２内の水を洋風便器３に導く状態と、再度浴槽２内に噴出する状態とが切り替え自在となっている。
【００３５】
配管２８は、一端が第１切替弁２７に連結し、他端が第２切替弁３０に連結している。流量計２９は、配管２８の中央部に設けられ、配管２８内を流れる水により回転される羽根車などを備えて、配管２８内の水の流量を検出する。流量計２９は、検出した配管２８内の水の流量を示す信号を制御装置１９に向かって出力する。
【００３６】
第２切替弁３０は、配管２８の他端が連結しているとともに、リム側給水配管３１の一端とジェット側給水配管３２の他端とが連結している。第２切替弁３０は、配管２８とリム側給水配管３１とを連通して配管２８とジェット側給水配管３２とを連通しない状態と、配管２８とジェット側給水配管３２とを連通して配管２８とリム側給水配管３１とを連通ない状態とが切り替え自在となっている。
【００３７】
リム側給水配管３１は、一端が第２切替弁３０に連結し、他端がリム用給水管１５の中央部に連結している。ジェット側給水配管３２は、一端が第２切替弁３０に連結し、他端がジェット用給水管１４の中央部に連結している。このように、給水配管３１，３２が給水管１４，１５の中央部に連結することで、浴槽内水給水部１７は、上水給水部１６の開閉弁２１，２２及びバキュームブレーカ２３，２４よりも給水管１４，１５の洋風便器３側に連結している。
【００３８】
浴槽内水給水部１７は、第１切替弁２７が連結配管１２と配管２８とを連通する状態となり、かつ第２切替弁３０が配管２８とリム側給水配管３１とを連通させると、浴槽２内の水を、ジェットバスユニット９の連結配管１２、配管２８及びリム側給水配管３１を介して、リム用給水管１５即ち洋風便器３のリム５の内面に導く。また、浴槽内水給水部１７は、第１切替弁２７が連結配管１２と配管２８とを連通する状態となり、かつ第２切替弁３０が配管２８とジェット側給水配管３２とを連通させると、浴槽２内の水を、ジェットバスユニット９の連結配管１２、配管２８及びジェット側給水配管３２を介して、ジェット用給水管１４即ち洋風便器３のジェット孔８に導く。こうして、浴槽内水給水部１７は、給水管１４，１５に連結して、洗浄水としての浴槽２内の水を給水管１４，１５等を介して洋風便器３に給水する。
【００３９】
スイッチ装置１８は、洋風便器３の便鉢４の側方や住宅の内壁面などに設けられ、洗浄水を洋風便器３内を洗浄する動作を開始するために用いられる。
【００４０】
制御装置１９は、図示しないＲＡＭ、ＲＯＭ、ＣＰＵ、入出力ポートなどを備えた演算装置である。制御装置１９の入力ポートには、少なくとも流量計２９及びスイッチ装置１８が接続している。制御装置１９の出力ポートには、少なくとも開閉弁２１，２２、バキュームブレーカ２３，２４、切替弁２７，３０及びポンプ１３が接続している。制御装置１９は、スイッチ装置１８から洗浄する動作を開始するための信号が入力すると、流量計２９が検出した配管２８内を流れる水の流量を示す情報などに基づいて、上水給水部１６による洋風便器３への給水と、浴槽内水給水部１７による洋風便器３への給水とを切り替えて、洗浄水給水システム１全体の制御をつかさどる。
【００４１】
制御装置１９は、図２に一例が示されるフローチャートを繰り返し実行している。なお、ステップＳ１では、制御装置１９は、スイッチ装置１８から洗浄する動作を開始するための信号が入力したか否かを判定し、入力していないとステップＳ１を繰り返し、入力するとステップＳ２に進む。こうして、制御装置１９は、スイッチ装置１８から洗浄する動作を開始するための信号が入力するまでステップＳ１を繰り返す。
【００４２】
ステップＳ２では、制御装置１９は、第１切替弁２７を連結配管１２と配管２８とを連通する状態に切り替え、第２切替弁３０を配管２８とリム側給水配管３１とを連通する状態に切り替えて、ポンプ１３を駆動して、吸込口１０を通して浴槽２内の水を吸い込む。そして、制御装置１９は、浴槽２内の水をリム５の内面から洋風便器３の周方向に給水する即ち洋風便器３の便鉢４の内面を浴槽２内の水により洗浄する。制御装置１９は、ステップＳ２では、流量計２９が検出した配管２８内の水の流量を示す信号に基いて、予め定められかつ洋風便器３のリム５に便鉢４の内面を洗浄するのに十分な量の洗浄水としての浴槽２内の水が給水されたと判断すると、第２切替弁３０を配管２８とジェット側給水配管３２とを連通する状態に切り替えて、浴槽２内の水をジェット孔８から洋風便器３のトラップ部７に給水する即ち洋風便器３の便鉢４内の汚物をトラップ部７から排水口６を通して排出する。そして、制御装置１９は、ステップＳ３に進む。
【００４３】
ステップＳ３では、制御装置１９は、流量計２９が検出した配管２８内の水の流量を示す信号に基いて、流量計２９が配管２８内の水の流れを検出しているか否か即ち浴槽２内の水が洋風便器３に給水されているか否かを判定し、水の流れを検出しているとステップＳ４に進み、水の流れを検出していないとステップＳ５に進む。ステップＳ４では、制御装置１９は、流量計２９が検出した配管２８内の水の流量を示す信号に基いて、リム５に便鉢４の内面を洗浄するのに十分でかつ汚物をトラップ部７から排水口６を通して排出するのに十分な所定量の洗浄水としての浴槽２内の水が給水されたか否かを判定する。所定量の浴槽２内の水が給水されていないとステップＳ２に戻り、所定量の浴槽２内の水が給水されるとステップＳ９に進む。こうして、制御装置１９は、所定量の浴槽２内の水が給水されるまで、即ち、リム５への給水による便鉢４の内面の洗浄と汚物のトラップ部７からの排出が完了するまで、ステップＳ２からステップＳ４を繰り返す。
【００４４】
ステップＳ５は、制御装置１９は、ステップＳ２からステップＳ４を繰り返している間に浴槽２内の水が洋風便器３に給水されなくなったと判定して、第１切替弁２７を連結配管１２と噴出口１１とを連通した状態に切り替えてポンプ１３を停止し、開閉弁２１，２２のうち一方を開き他方を閉じて、上水道からの上水をリム５の内面又はジェット孔８を通して洋風便器３に給水する。制御装置１９は、ステップＳ２からステップＳ４を繰り返している間にリム５の内面からの給水からジェット孔８からの給水に切り替えられていれば、ジェット用開閉弁２２を開きリム用開閉弁２１を閉じて上水をジェット孔８から給水し、切り替えられていなければ、ジェット用開閉弁２２を閉じリム用開閉弁２１を開いて、上水をリム５の内面に給水する。そして、制御装置１９は、ステップＳ２からステップＳ４を繰り返している間にリム５の内面からの給水からジェット孔８からの給水に切り替えられていなければ、リム５の内面からの給水が完了した後、リム用開閉弁２１を閉じかつジェット用開閉弁２２を開いて上水をジェット孔８から給水して、ステップＳ６に進む。
【００４５】
ステップＳ６では、制御装置１９は、浴槽２内の水と上水とを合わせて前述して所定量の洗浄水が洋風便器３に給水されたか否かを判定する。合わせて所定量の洗浄水が給水されていないとステップＳ５に戻り、合わせて所定量の洗浄水が給水されるとステップＳ７に進む。こうして、制御装置１９は、合わせて所定量の洗浄水が給水されるまで、即ち、リム５への給水による便鉢４の内面の洗浄と汚物のトラップ部７からの排出が完了するまで、ステップＳ５及びステップＳ６を繰り返す。
【００４６】
ステップＳ７では、制御装置１９は、ジェット用開閉弁２２を閉じかつリム用開閉弁２１を開いて、上水をリム５の内面即ち洋風便器３に給水する。こうして、制御装置１９は、汚物のトラップ部７からの排出が完了した後に、リム５の内面即ち洋風便器３に給水して、上水を洋風便器３の底部に溜めて、所謂封水Ｈを形成する。そして、ステップＳ８に進み、制御装置１９は、このステップＳ８において、封水Ｈに十分な第２の所定量の上水が給水されたか否かを判定し、給水されていないとステップＳ７に戻り、給水されているとリム用開閉弁２１も閉じて、ステップＳ１に戻る。こうして、制御装置１９は、封水Ｈに十分な第２の所定量の上水が給水されるまでステップＳ７及びステップＳ８を繰り返して、リム５の内面から上水を洋風便器３に給水する。こうして、制御装置１９は、初めのリム５の内面への給水又はジェット孔８への給水の途中で、浴槽２から洋風便器３に浴槽２内の水が給水されなくなると、上水の給水に切り替える。
【００４７】
ステップＳ９では、制御装置１９は、洗浄水として浴槽２内の水の給水により便鉢４の内面の洗浄と汚物のトラップ部７からの排出が完了したと判定し、第１切替弁２７を連結配管１２と噴出口１１とを連通した状態に切り替えてポンプ１３を停止し、リム用開閉弁２１を開きかつジェット用開閉弁２２を閉じて、上水をリム５の内面即ち洋風便器３に給水する。こうして、制御装置１９は、汚物のトラップ部７からの排出が完了した後に、リム５の内面即ち洋風便器３に給水して、上水を洋風便器３の底部に溜めて、所謂封水Ｈを形成する。そして、ステップＳ１０に進み、制御装置１９は、このステップＳ１０において、封水Ｈに十分な第２の所定量の上水が給水されたか否かを判定し、給水されていないとステップＳ９に戻り、給水されているとリム用開閉弁２１も閉じて、ステップＳ１に戻る。こうして、制御装置１９は、封水Ｈに十分な第２の所定量の上水が給水されるまでステップＳ９及びステップＳ１０を繰り返して、リム５の内面から上水を洋風便器３に給水する。こうして、制御装置１９は、初めのリム５の内面への浴槽２内の水の給水及びジェット孔８への浴槽２内の水の給水が完了すると、上水による封水Ｈを形成する。
【００４８】
本実施形態の洗浄水給水システム１は、スイッチ装置１８が操作されて、洋風便器３の洗浄が開始されると、図３に示すように、開閉弁２１，２２を閉じた状態で、第１切替弁２７を連結配管１２と配管２８とを連通した状態とし、第２切替弁３０が配管２８とリム側給水配管３１とを連通させて、ポンプ１３を駆動して、浴槽２内の水をリム５の内面に給水して、便鉢４の内面の洗浄を行なう。そして、便鉢４の内面の洗浄が完了すると、図３に示すように、第２切替弁３０が配管２８とジェット側給水配管３２とを連通させて、浴槽２内の水をジェット孔８に給水して、強制的にサイホン効果を生じさせて、便鉢４内から汚物をトラップ部７を介して排水口６から排出する。そして、汚物の排出が完了すると、図３に示すように、第１切替弁２７を連結配管１２と噴出口１１とが連通した状態に切り替え、ポンプ１３を停止し、リム用開閉弁２１を開いて、上水をリム５の内面から洋風便器３に給水して、上水による封水Ｈを形成する。なお、図３に示す例は、汚物の排出が完了するまで、浴槽２内の水が洋風便器３に給水され続ける場合を示している。
【００４９】
本実施形態の洗浄水給水システム１では、浴槽２内の水を洋風便器３に給水する浴槽内水給水部１７を備えているので、浴槽２内の入浴後の残り湯などを洋風便器３の洗浄水として用いることができる。また、洗浄水給水システム１では、浴槽内水給水部１７と上水を洋風便器３に給水する上水給水部１６とを備えているので、浴槽２内に残り湯などが溜まっている場合には、洗浄水として浴槽２内の水を用いることができ、浴槽２内に残り湯などが溜まっていない場合には、洗浄水として上水を用いることができる。さらに、浴槽内水給水部１７が上水給水部１６よりも給水管１４，１５の洋風便器３側に連結しているので、浴槽内水給水部１７が、洗浄水としての浴槽２内の水を直接洋風便器３に洗浄水として給水することができる。したがって、洗浄水として用いる残り湯などの浴槽２内の水を長期に亘って溜めておくことを抑制することができて、雑菌が繁殖することを抑制することができる。したがって、上水の使用量を削減することを可能としながらも、コストの高騰と洋風便器３の衛生環境の悪化を抑制することができる。 
また、上水給水部１６と浴槽内水給水部１７とが互いに別体に設けられているために、制御装置１９などからの制御により、上水と残り湯などの浴槽２内の水とを使い分けることができる。
【００５０】
洗浄水給水システム１では、上水給水部１６の上水管２０と給水管１４，１５とに亘る流路を開閉可能な開閉弁２１，２２よりも給水管１４，１５の洋風便器３側に浴槽内水給水部１７が連結しているので、開閉弁２１，２２により、上水給水部１６の上水管２０と浴槽内水給水部１７とを確実に分離することができる。
【００５１】
洗浄水給水システム１では、開閉弁２１，２２の洋風便器３側に設けられたバキュームブレーカ２３，２４よりも更に給水管１４，１５の洋風便器３側に浴槽内水給水部１７が連結しているので、バキュームブレーカ２３，２４により、上水給水部１６の上水管２０などが負圧となっても、バキュームブレーカ２３，２４を超えて、浴槽２内の水が上水管２０などに逆流することを防止できる。
【００５２】
また、本実施形態の洗浄水給水システム１では、洋風便器３が上水道からの上水を一旦タンクなどに溜めることのない所謂タンクレス洋風便器となっており、浴槽内水給水部１７が、洗浄水としての浴槽２内の水を直接洋風便器３に洗浄水として給水することができるので、タンク内での雑菌の繁殖を確実に防止することができ、洋風便器３の衛生環境の悪化を確実に抑制することができる。
【００５３】
なお、前述した実施形態では、リム５の内面への給水、ジェット孔８への給水、リム５の内面への給水を順に行なっているが、本発明は、これに限定されない。例えば、洋風便器３にジェット孔８を設けずに、リム５の内面への給水のみより、便鉢４の内面の洗浄、汚物の排出、封水Ｈを行なうようにしても良い。
［実施形態２］
【００５４】
以下、実施形態２に係る洗浄水給水システム１について説明する。なお、前述した実施形態１と同一部分には、同一符号を付して説明を省略する。図４は、実施形態２に係る洗浄水給水システムの構成を示す説明図、図５は、実施形態２に係る洗浄水給水システムの動作の一例を示すタイムチャートである。
【００５５】
実施形態２では、洋風便器３は、リム５の内面のみから洗浄水が給水される。このため、実施形態２では、リム用給水管１５のみが設けられ、リム側給水配管３１がリム用給水管１５の中央部に連結して、浴槽内水給水部１７が上水給水部１６の排水口３８よりもリム用給水管１５の洋風便器３側に連結している。
【００５６】
また、実施形態２では、上水給水部１６は、図４に示すように、洗浄タンク３３と、弁体としてのゴムフロート３４と、操作部材としてのレバー３５と、ボールタップ機構３６と、モータ３７を備えている。洗浄タンク３３は、上水管２０により上水道からの上水が給水されて、上水を溜める容器である。洗浄タンク３３の底部には、リム用給水管１５が連結した排水口３８が開口している。ゴムフロート３４は、洗浄タンク３３の底部に接離自在に設けられて、排水口３８を開閉自在である。ゴムフロート３４は、洗浄タンク３３の底部に接することで排水口３８を閉じ、洗浄タンク３３の底部から離間することで排水口３８を開く。
【００５７】
レバー３５は、一端部を中心として回転自在に洗浄タンク３３の上部に取り付けられている。レバー３５は、一端部を中心として回転自在に洗浄タンク３３に取り付けられていることで、洗浄タンク３３に変位自在に取り付けられている。レバー３５は、鎖などを備えたリンク機構３９によりゴムフロート３４と連結されている。レバー３５は、一端部を中心として回転されると即ち洗浄タンク３３に対して変位されると、ゴムフロート３４に排水口３８を開閉させる。
【００５８】
ボールタップ機構３６は、洗浄タンク３３内の上水に浮く浮き玉４０と、洗浄タンク３３に取り付けられかつ上水管２０の端に取り付けられて上水管２０を開閉するボールタップ４１と、浮き玉４０とボールタップ４１に連結したアーム４２などを備えている。ボールタップ機構３６は、洗浄タンク３３内の上水の液面が低下して、浮き玉４０が降下すると、アーム４２が浮き玉４０の降下とともに揺動して、ボールタップ４１が開いて、上水を洗浄タンク３３内に給水する。また、ボールタップ機構３６は、上水の液面が所定の高さとなると、浮き玉４０及びアーム４２によりボールタップ４１が閉じて、上水の洗浄タンク３３への給水を停止する。
【００５９】
モータ３７は、制御装置１９に接続しており、制御装置１９からの命令により、洗浄タンク３３に対して操作レバー３５を一端部を中心として回転させる。
【００６０】
また、実施形態２の制御装置１９は、前述した実施形態１と略同様に動作する。本実施形態の洗浄水給水システム１は、スイッチ装置１８が操作されて、洋風便器３の洗浄が開始されると、図５に示すように、排水口３８がゴムフロート３４により閉じた状態即ちモータ３７がオフとされた状態で、第１切替弁２７が連結配管１２と配管２８とを連通した状態に切り替え、ポンプ１３を駆動して、浴槽２内の水をリム５の内面に給水して、便鉢４の内面を洗浄するとともに、サイホン効果を生じさせて、便鉢４から汚物をトラップ部７を介して排水口６から排出する。そして、汚物の排出が完了すると、図５に示すように、第１切替弁２７を連結配管１２と噴出口１１とを連通した状態に切り替え、ポンプ１３を停止し、制御装置１９がモータ３７をオンにして、排水口３８がゴムフロート３４により開かれて、上水をリム５の内面から洋風便器３に給水して、上水による封水Ｈを形成する。なお、図５に示す例は、汚物の排出が完了するまで、浴槽２内の水が洋風便器３に給水され続ける場合を示している。
【００６１】
実施形態２の洗浄水給水システム１では、前述した実施形態１と同様に、上水の使用量を削減することを可能としながらも、コストの高騰と洋風便器３の衛生環境の悪化を抑制することができる。また、実施形態２の洗浄水給水システム１では、上水給水部１６の洗浄タンク３３の排水口３８よりもリム用給水管１５の洋風便器３側に浴槽内水給水部１７が連結しているので、排水口６を開閉するゴムフロート３４により、上水給水部１６の上水管２０と浴槽内水給水部１７とを確実に分離することができる。
【００６２】
前述した実施形態では、上水により封水Ｈを行なっているが、本発明は、これに限定されない。即ち、本発明では、浴槽２内の水により封水Ｈを行なっても良い。また、実施形態１では、ジェット用給水管１４及びリム用給水管１５のそれぞれに、ジェット側給水配管３２及びリム側給水配管３１を連結したが、本発明では、ジェット用給水管１４及びリム用給水管１５の少なくとも一方に浴槽１内の水を導く給水配管３１，３２を連結すれば良い。さらに、前述した実施形態では、流量計２９を用いたが、本発明では、流量計２９の代わりに浴槽２内の水の水位を検知する圧力センサを用いて、浴槽２内の水の給水と上水の給水とを切り替えても良い。
【００６３】
また、前述した実施形態の図２に示されたフローチャート、図３及び図５に示されたタイムチャートは一例を示すものであって、本発明は、これらのフローチャート及びタイムチャートに限定されるものではない。
【００６４】
さらに、本発明では、ジェットバスユニット９以外のポンプなどの駆動源を用いて、浴槽２内の水を洋風便器３に給水しても良い。
【００６５】
なお、上述した本発明の実施形態に係る洗浄水給水システム１は、上述した実施形態に限定されず、特許請求の範囲に記載された範囲で種々の変更が可能である。
【符号の説明】
【００６６】
１  洗浄水給水システム
２  浴槽
３  洋風便器（便器）
１４  ジェット用給水管（給水管）
１５  リム用給水管（給水管）
１６  上水給水部
１７  浴槽内水給水部
２０  上水管
２１  リム用開閉弁（開閉弁）
２２  ジェット用開閉弁（開閉弁）
２３  リム用バキュームブレーカ（開放弁）
２４  ジェット用バキュームブレーカ（開放弁）
３３  洗浄タンク
３４  ゴムフロート（弁体）
３５  レバー（操作部材）
３８  排水口
【図１】
2013104206.tif 000003
【図２】
2013104206.tif 000004
【図３】
2013104206.tif 000005
【図４】
2013104206.tif 000006
【図５】
2013104206.tif 000007